(57)【要約】【課題】個人情報記入欄を隠蔽し、確認情報記入欄を表出することができる隠蔽機能付き申込書を提供する。【解決手段】隠蔽基材部２１及び申込基材部２２を有したシート状基材２０と、隠蔽基材部２１の片面の少なくとも一部に設けられた接着層３０と、隠蔽基材部２１及び申込基材部２２の間に設けられた第１の折れ線部２３と、申込基材部２２の接着層３０と同じ面に設けられた個人情報記入欄２５と、個人情報記入欄２５と隣接し、申込基材部２２に設けられた確認情報記入欄２６とを備え、第１の折れ線部２３によりシート状基材２０を折り曲げ、少なくとも個人情報記入欄２５を隠蔽し、確認情報記入欄２６を確認することができるように、隠蔽基材部２１及び申込基材部２２を、接着層３０を介して貼り合せる。【選択図】図１
2007276143.tif 000002
【特許請求の範囲】
【請求項１】
隠蔽基材部及び申込基材部を有したシート状基材と、
前記隠蔽基材部の片面の少なくとも一部に設けられた接着層と、
前記隠蔽基材部及び前記申込基材部の間に設けられた第１の折れ線部と、
前記申込基材部の前記接着層と同じ面に設けられた個人情報記入欄と、
前記個人情報記入欄と隣接し、前記申込基材部に設けられた確認情報記入欄とを備え、
前記第１の折れ線部により前記シート状基材を折り曲げ、少なくとも前記個人情報記入欄を隠蔽し、前記確認情報記入欄を確認することができるように、前記隠蔽基材部及び前記申込基材部を、前記接着層を介して貼り合せること、
を特徴とする隠蔽機能付き申込書。
【請求項２】
請求項１に記載の隠蔽機能付き申込書において、
前記隠蔽基材部の前記接着層は、前記隠蔽基材部と剥離可能に接着された剥離基材を備えること、
を特徴とする隠蔽機能付き申込書。
【請求項３】
請求項１又は請求項２に記載の隠蔽機能付き申込書において、
前記隠蔽基材部は、前記接着層とは反対の面に第２の確認情報記入欄を備えること、
を特徴とする隠蔽機能付き申込書。
【請求項４】
請求項１又は請求項２に記載の隠蔽機能付き申込書において、
前記隠蔽基材部は、第２の折れ線部を挟んで前記接着層を有する第１の基材部及び第２の基材部を備え、
前記第１の基材部は、前記個人情報記入欄を隠蔽すること、
を特徴とする隠蔽機能付き申込書。
【請求項５】
請求項４に記載の隠蔽機能付き申込書において、
前記第２の折れ線部は、分離線であり、
前記第２の基材部は、前記剥離基材とともに前記第１の基材部から前記第２の折れ線部により分離されるように、前記接着層と同じ面に前記剥離基材と再剥離不可能に接着する強接着層を備えること、
を特徴とする隠蔽機能付き申込書。
【請求項６】
請求項１から請求項５までのいずれか１項に記載の隠蔽機能付き申込書において、
前記接着層は、再剥離再貼付可能な接着剤であること、
を特徴とする隠蔽機能付き申込書。
【発明の詳細な説明】
【技術分野】
【０００１】
本発明は、情報記入欄を隠蔽することができる隠蔽機能付き申込書に関するものである。
【背景技術】
【０００２】
広告欄と申込書が一体となったチラシは、一般市場において幅広く活用されており、例えば、右片が申込書、左片が隠蔽紙で形成されたハガキとして使用されていることが多い。ハガキの場合は、サイズが大きくないため、広告としての用途は限られてしまうが、店頭において申し込むような手渡しの場合は、大きさの制限が少ないため、様々な広告が利用できる。
【０００３】
このようなチラシは、申込書と隠蔽紙とは申込時に業者側へ渡してしまうので、申込者の手元に残すことができる広告は、隠蔽紙の隠蔽糊を覆っていた剥離紙の表裏面のみとなり、例えば、荷物の配送伝票の印字サービスに用いることができる。荷物の配送伝票の印字サービスとは、宛先、差出人などの申込者が自身で配送伝票に記入する内容を、申込者の代わりに、宅配業者がドットプリンタで印字するサービスであり、このようなサービスにより、宅配業者は、荷物の配送の販売促進を行なっている。
【０００４】
この配送伝票の印字サービスは、以下のような手順により、印字した配送伝票を発行している。
１）申込者は、コンビニエンスストア（ＣＶＳ店）などの配送荷物の取扱店に、配送伝票の印字サービスの申込書を提出する。
２）ＣＶＳ店は、申込書を受け取り、印字した配送伝票のお届け予定日を申込者に伝える。
３）ＣＶＳ店は、申込書をその他の配送荷物とともに保管する。
４）宅配業者の集荷人は、配送荷物の集荷とともに申込書を回収する。
５）宅配業者の集荷人は、申込書を伝票印字の専門部署に届ける。
【０００５】
６）伝票印字の専門部署は、申込書の記載内容に基づいて、指定枚数の配送伝票の印字を行なう。
７）伝票印字の専門部署は、印字した内容と申込書の内容とに誤りがないことを確認し、印字した配送伝票及び申込書を一纏めにする。
８）宅配業者の配送人は、一纏めにした印字した配送伝票及び申込書を受け取る。
９）宅配業者の配送人は、印字した配送伝票及び申込書を印字内容に基づいて、申込者へ届ける。
【０００６】
このような手順において、申込書に隠蔽機能が備わっていない場合は、申込書がＣＶＳ店から宅配業者の印字の専門部署に届けられるまでの間に、申込書に記入された個人情報が第三者に容易に見られてしまう可能性がある。荷物を配送するときに、荷物の表面に貼られた配送伝票の宛名や差出人は表出しているので、これまでは上述したような申込時に、情報記入欄を隠蔽する必要がなかった。しかし、個人情報保護の意識の高まりから、情報記入欄の隠蔽の要望及び必要性が強くなっている（例えば、特許文献１）。特に、ＣＶＳ店などにおける申込書の受付は、一時的な雇われ店員（アルバイトなど）により行なわれることが多いので、情報の漏洩に注意が必要と考えられている。
【０００７】
特許文献１は、クレジットカードの申し込みなどに使用される申込書であり、必要事項を記載し封筒に申込書を封緘して、申し込み内容を隠蔽している。しかし、このような申込書は、隠蔽のために別途、封筒を準備する必要があるので、上述した印字サービスの申込書のように、全国の取扱店に多数配置して配送荷物の販売促進を行なう手段には、コストアップの要因となり採用することが困難となる。
また、印字サービスの申込書は、隠蔽紙を必要としていない時代から一定サイズで運用しており、既に申込書を保管する棚やラックなどの設備が適切な形状で準備されているので、大幅なサイズ変更は受け入れられない問題がある。
【０００８】
更に、インターネットの発展に伴い、ネットオークションなどが活発化していることを受け、配送依頼主が料金を支払う「発払」の配送伝票だけでなく、荷受人が支払う「着払」の利用者も増えており、印字サービスにおいても伝票の種類やその枚数を指定する記入欄が必要となる。昨今、申込書にもそのような記入欄が設けられているが、宛先、差出人の記入欄の記入に比べ、伝票の種類や枚数の記入欄は記入漏れが多く、確認作業などに配送業者の負担が多くなっている問題がある。
【特許文献１】特開平０５−０９２６８０号公報
【発明の開示】
【発明が解決しようとする課題】
【０００９】
本発明の課題は、個人情報記入欄を隠蔽し、確認情報記入欄を表出することができる隠蔽機能付き申込書を提供することである。
【課題を解決するための手段】
【００１０】
本発明は、以下のような解決手段により、前記課題を解決する。なお、理解を容易にするために、本発明の実施形態に対応する符号を括弧内に付して説明するが、これに限定されるものではない。
請求項１の発明は、隠蔽基材部（２１）及び申込基材部（２２）を有したシート状基材（２０）と、前記隠蔽基材部（２１）の片面の少なくとも一部に設けられた接着層（３０）と、前記隠蔽基材部（２１）及び前記申込基材部（２２）の間に設けられた第１の折れ線部（２３）と、前記申込基材部（２２）の前記接着層（３０）と同じ面に設けられた個人情報記入欄（２５）と、前記個人情報記入欄（２５）と隣接し、前記申込基材部（２２）に設けられた確認情報記入欄（２６）とを備え、前記第１の折れ線部（２３）により前記シート状基材（２０）を折り曲げ、少なくとも前記個人情報記入欄（２５）を隠蔽し、前記確認情報記入欄（２６）を確認することができるように、前記隠蔽基材部（２１）及び前記申込基材部（２２）を、前記接着層（３０）を介して貼り合せることを特徴とする隠蔽機能付き申込書（１０）である。
【００１１】
請求項２の発明は、請求項１に記載の隠蔽機能付き申込書（１０）において、前記隠蔽基材部（２１）の前記接着層（３０）は、前記隠蔽基材部（２１）と剥離可能に接着された剥離基材（４０）を備えることを特徴とする隠蔽機能付き申込書（１０）である。
【００１２】
請求項３の発明は、請求項１又は請求項２に記載の隠蔽機能付き申込書（１０）において、前記隠蔽基材部（２１）は、前記接着層（３０）とは反対の面に第２の確認情報記入欄（２７）を備えることを特徴とする隠蔽機能付き申込書（１０）である。
【００１３】
請求項４の発明は、請求項１又は請求項２に記載の隠蔽機能付き申込書（１０）において、前記隠蔽基材部（２１）は、第２の折れ線部（２４）を挟んで前記接着層（３０）を有する第１の基材部（２１−１）及び第２の基材部（２１−２）を備え、前記第１の基材部（２１−１）は、前記個人情報記入欄（２５）を隠蔽することを特徴とする隠蔽機能付き申込書（１０−３）である。
【００１４】
請求項５の発明は、請求項４に記載の隠蔽機能付き申込書（１０）において、前記第２の折れ線部（２４）は、分離線であり、前記第２の基材部（２１−２）は、前記剥離基材（４０）とともに前記第１の基材部（２１−１）から前記第２の折れ線部（２４）により分離されるように、前記接着層（３０）と同じ面に前記剥離基材（４０）と再剥離不可能に接着する強接着層（３１）を備えることを特徴とする隠蔽機能付き申込書（１０−４）である。
【００１５】
請求項６の発明は、請求項１から請求項５までのいずれか１項に記載の隠蔽機能付き申込書（１０）において、前記接着層（３０）は、再剥離再貼付可能な接着剤であることを特徴とする隠蔽機能付き申込書（１０）である。
【発明の効果】
【００１６】
以上説明したように、本発明によれば、以下のような効果がある。
（１）隠蔽機能付き申込書は、第１の折れ線部を挟んで隠蔽基材部及び申込基材部を有したシート状基材を備えているので、シート状基材を第１の折れ線部により折り曲げて申込基材部の少なくとも個人情報記入欄を隠蔽することができ、確認情報記入欄を確認することができる。
（２）隠蔽機能付き申込書は、シート状基材の接着層に剥離基材を備えているので、未使用の隠蔽機能付き申込書の保管時に、接着層の接着面を保護することができる。
【００１７】
（３）シート状基材は、隠蔽基材部の接着層とは反対の面に第２の確認情報記入欄を備えているので、隠蔽の必要のない情報を記入することができ、個人情報記入欄の隠蔽に関わらず記入内容を確認及び変更することができる。
（４）第１の折れ線部はシート状基材を等分し、隠蔽基材部は第２の折れ線部を挟んで接着層を有する第１の基材部及び第２の基材部を備えているので、シート状基材を第１の折れ線部により折り曲げて個人情報記入欄を隠蔽することができ、第２の基材部を捲り上げることにより確認情報記入欄を表出することができる。
【００１８】
（５）隠蔽機能付き申込書の第２の折れ線部は分離線であり、第２の基材部は、接着層と同じ面に剥離基材と再剥離不可能に接着する強接着層を備えているので、剥離基材を接着層から剥がし、第２の基材部を第２の折れ線部により第１の基材部から分離して、剥離基材及び第２の基材部を一体化させてシート状基材から分離することができ、シート状基材を第１の折れ線部により折り曲げることにより、個人情報記入欄を隠蔽し、確認情報記入欄を表出することができる。
（６）シート状基材の接着層は、再剥離再貼付可能な接着剤であるので、隠蔽基材部を申込基材部から剥がすことができ、隠蔽した個人情報記入欄を見ることができる。
【発明を実施するための最良の形態】
【００１９】
本発明は、個人情報記入欄を隠蔽し、確認情報記入欄を表出することができる隠蔽機能付き申込書を提供するという目的を、隠蔽基材部の少なくとも一部を、接着層を介して申込基材部と接着することにより実現する。
【実施例１】
【００２０】
以下、図面等を参照して、本発明の実施例をあげて、さらに詳しく説明する。
図１は、本発明による実施例１の隠蔽機能付き申込書の詳細を示す平面図及び側面図である。なお、図１（Ｂ）は、隠蔽機能付き申込書の申込時の形態を示す図である。また、以下の説明文中の表面は紙面より手前の面を、裏面はその反対側の面を示す。
隠蔽機能付き申込書１０は、図１（Ａ）に示すように、シート状基材２０、接着層３０及び剥離基材４０を備えた配送伝票の印字サービスの申込書である。
シート状基材２０は、第１の折れ線部２３を挟んで隠蔽部２１及び申込部２２を備えている普通紙である。
【００２１】
隠蔽部２１は、表面に接着層３０を備え、裏面に第２の確認情報記入欄２７を設けている申込部２２の個人情報記入欄２５を隠蔽する紙片である。
申込部２２は、表面に個人情報記入欄２５及び確認情報記入欄２６を有した紙片である。
第１の折れ線部２３は、シート状基材２０を等分する折り込み線である。
個人情報記入欄２５は、印字サービスに依頼する印字内容を記入する欄であり、例えば、宛先や差出人の情報が記入される。
【００２２】
確認情報記入欄２６は、印字サービスに依頼する配送伝票の印字枚数や種類を指定する欄である。配送伝票の種類は、例えば、配送依頼主が料金を支払う「発払」の配送伝票や、荷受人が支払う「着払」の配送伝票などである。
第２の確認情報記入欄２７は、確認情報記入欄２６と同様の、印字サービスに依頼する配送伝票の印字枚数や種類を指定する欄である。
接着層３０は、隠蔽部２１の裏面にコの字状に形成された再剥離再貼付可能な接着剤である。
剥離基材４０は、表面に申込書の記入方法を、裏面に利用規約（不図示）などを印字した隠蔽部２１の接着層３０を覆う剥離紙である。
【００２３】
次に、隠蔽機能付き申込書１０の使用方法について説明する。
申込者は、図１（Ａ）に示すように、剥離基材４０の表面に記載された記入方法を見ながら、個人情報記入欄２５、確認情報記入欄２６及び第２の確認情報記入欄２７に必要事項を記入し、記入を終えたら、剥離基材４０をシート状基材２０から剥がす（矢印Ａ）。剥がした剥離基材４０の裏面には、印字サービスの利用規約が記載されているので、申込前に一読する。
【００２４】
続いて、図１（Ｂ）に示すように、シート状基材２０を第１の折れ線部２３により折り曲げ（矢印Ｂ）、隠蔽部２１を、接着層３０を介して、個人情報記入欄２５及び確認情報記入欄２６を隠蔽するように申込部２２と貼り合せて、隠蔽機能付き申込書１０を配送荷物の取扱店に提出する。申込者は、申込書を取扱店に提出する前に、隠蔽部２１の第２の確認情報記入欄２７により、配送伝票の枚数及び種類の指定内容を確認することができる。
仮に、隠蔽部２１を申込部２２に貼り合せた後に、確認情報記入欄２６及び第２の確認情報記入欄２７の記入内容の変更などが生じたら、第２の確認情報記入欄２７を訂正することにより配送業者に配送伝票の印字枚数や種類を伝達することができる。このときに、確認情報記入欄２６と第２の確認情報記入欄２７との記入内容が一致しなくなる場合には、配送業者の印字サービスの専門部署は、第２の確認情報記入欄２７の記入内容を正しい（最新の）情報として配送伝票を準備する。
【００２５】
集荷人は、隠蔽機能付き申込書１０を取扱店から受け取り、印字サービスの専門部署に、隠蔽機能付き申込書１０の個人情報記入欄２５を人目に触れさせることなく届ける。
印字サービスの専門部署は、隠蔽機能付き申込書１０の隠蔽部２１を剥がして、個人情報記入欄２５、確認情報記入欄２６及び第２の確認情報記入欄２７の記入内容に基づいて、指定の配送伝票に、指定の枚数だけ指定の内容を印字して、印字内容と個人情報記入欄２５との内容を誤りがないか確認した後に、印字した配送伝票及び隠蔽機能付き申込書１０を一纏めにして配送人（ドライバー）へ渡す。
配送人は、一纏めにした印字した配送伝票及び隠蔽機能付き申込書１０を、配送伝票の差出人の住所を見て申込者へ配送する。
申込者は、依頼内容と印字された配送伝票の内容を確認し、その配送伝票を所定の荷物に貼り付けて、配送業者に荷物の配送を依頼する。
【００２６】
以上より、実施例１の隠蔽機能付き申込書１０には以下のような効果がある。
（１）隠蔽機能付き申込書１０は、第１の折れ線部２３を挟んで隠蔽部２１及び申込部２２を有したシート状基材２０を備えているので、シート状基材２０を第１の折れ線部２３により折り曲げて申込部２２の個人情報記入欄２５を隠蔽することができる。
（２）隠蔽機能付き申込書１０は、シート状基材２０の接着層３０に剥離基材４０を備えているので、未使用の隠蔽機能付き申込書１０の保管時に、接着層３０の接着面を保護することができる。
【００２７】
（３）シート状基材２０は、隠蔽部２１の接着層３０とは反対の面に確認情報記入欄２６と同様の第２の確認情報記入欄２７を備えているので、個人情報記入欄２５を隠蔽した後においても、確認情報記入欄２６に記入した内容を確認及び変更することができる。
（４）シート状基材２０の接着層３０は、再剥離再貼付可能な接着剤であるので、隠蔽部２１を申込部２２から剥がすことができ、隠蔽した個人情報記入欄２５を見ることができる。
【実施例２】
【００２８】
図２は、本発明による実施例２の隠蔽機能付き申込書１０−２の詳細を示す平面図及び側面図である。なお、図２（Ｂ）は、隠蔽機能付き申込書の申込時の形態を示す図である。以下に示す各実施例では、前述した実施例１と同様な機能を果たす部分には、同一の符号又は末尾に統一した符号を付して、重複する説明や図面を適宜省略する。
隠蔽機能付き申込書１０−２は、図２（Ａ）に示すように、シート状基材２０、接着層３０及び剥離基材４０を備えた実施例１と同じ用途の配送伝票の印字サービスの申込書である。
シート状基材２０は、隠蔽部２１、申込部２２、第１の折れ線部２３及び第２の折れ線部２４を備えている普通紙である。
【００２９】
隠蔽部２１は、表面に接着層３０を備え、申込部２２の個人情報記入欄２５を隠蔽する紙片である。
第１の折れ線部２３は、隠蔽部２１及び申込部２２の間に設けられ、隠蔽部２１が申込部２２より小さくなるように形成された折り込み線であり、個人情報記入欄２５を隠蔽するときに使用される。
第２の折れ線部２４は、シート状基材を等分する折り込み線であり、隠蔽機能付き申込書１０−２を保管するときに使用される。
【００３０】
次に、隠蔽機能付き申込書１０−２の使用方法について説明する。なお、実施例１と重複する説明は適宜省略する。
隠蔽機能付き申込書１０−２は、未使用時には、第２の折れ線部２４によりシート状基材２０を折り曲げた状態で保管される。
申込者は、印字サービスを依頼するときに、第２の折れ線部２４により折り曲げられた隠蔽機能付き申込書１０−２を開いて、図２（Ａ）に示すように、個人情報記入欄２５及び確認情報記入欄２６に必要事項を記入し、剥離基材４０をシート状基材２０から剥がす（矢印Ａ）。続いて、図２（Ｂ）に示すように、シート状基材２０を第１の折れ線部２３により折り曲げ（矢印Ｂ）、申込部２２の個人情報記入欄２５を隠蔽して配送荷物の取扱店へ提出する。
仮に、隠蔽部２１を申込部２２に貼り合せた後に、確認情報記入欄２６の記入内容の変更などが生じたとしても、確認情報記入欄２６は隠蔽機能付き申込書１０−２に表出しているので、容易に訂正することができる。
【００３１】
以上より、実施例２の隠蔽機能付き申込書１０−２には、前述した実施例１の効果に加え、以下のような効果がある。
隠蔽機能付き申込書１０−２は、第１の折れ線部２３が隠蔽部２１を申込部２２よりも小さい形状に分けているので、シート状基材２０を第１の折れ線部２３により折り曲げて、申込部２２の個人情報記入欄２５のみを隠蔽することができ、表出した確認情報記入欄２６は、記入内容を容易に確認及び訂正することができる。
【実施例３】
【００３２】
図３は、本発明による実施例３の隠蔽機能付き申込書１０−３の詳細を示す平面図及び側面図である。なお、図３（Ｂ）は、隠蔽機能付き申込書の申込時の形態を示す図である。
隠蔽機能付き申込書１０−３は、図３（Ａ）に示すように、シート状基材２０、接着層３０及び剥離基材４０を備えた実施例１と同じ用途の配送伝票の印字サービスの申込書である。
シート状基材２０は、隠蔽部２１、申込部２２、第１の折れ線部２３及び第２の折れ線部２４を備えている普通紙である。
【００３３】
隠蔽部２１は、第２の折れ線部を挟んで第１の基材部２１−１及び第２の基材部２１−２を備えている。
第１の基材部２１−１は、表面に接着層３０を備えている申込部２２の個人情報記入欄２５を隠蔽する紙片である。
第１の折れ線部２３は、シート状基材２０を等分し、隠蔽部２１及び申込部２２の間に設けられた折り込み線である。
第２の折れ線部２４は、隠蔽部２１を折り曲げる折り込み線である。
【００３４】
次に、隠蔽機能付き申込書１０−３の使用方法について説明する。なお、実施例１と重複する説明は適宜省略する。
申込者は、図３（Ａ）に示すように、個人情報記入欄２５及び確認情報記入欄２６に必要事項を記入し、剥離基材４０をシート状基材２０から剥がす（矢印Ａ）。続いて、図３（Ｂ）に示すように、シート状基材２０を第１の折れ線部２３により折り曲げ（矢印Ｂ）、隠蔽部２１を申込部２２に貼り合せて、配送荷物の取扱店に提出する。
仮に、隠蔽部２１を申込部２２に貼り合せた後に、確認情報記入欄２６の記入内容の変更などが生じたとしても、確認情報記入欄２６は第２の基材部２１−２を捲り上げることにより、表出することができるので、容易に訂正することができる。
【００３５】
以上より、実施例３の隠蔽機能付き申込書１０−３には、前述した実施例１の効果に加え、以下のような効果がある。
第１の折れ線部２３は、シート状基材２０を等分し、隠蔽部２１は、第２の折れ線部２４を挟んで接着層３０を有する第１の基材部２１−１及び第２の基材部２１−２を備えているので、シート状基材２０を第１の折れ線部２３により折り曲げて、個人情報記入欄２５のみを隠蔽することができ、第２の基材部２１−２を捲り上げることにより確認情報記入欄２６を確認及び訂正することができる。
【実施例４】
【００３６】
図４は、本発明による実施例４の隠蔽機能付き申込書１０−４の詳細を示す平面図及び側面図である。なお、図４（Ｂ）は、隠蔽機能付き申込書の申込時の形態を作製する過程を示す図であり、図４（Ｃ）は、隠蔽機能付き申込書の申込時の形態を示す図である。
隠蔽機能付き申込書１０−４は、図４（Ａ）に示すように、シート状基材２０、接着層３０及び剥離基材４０を備えた実施例３と同じ用途の配送伝票の印字サービスの申込書である。
第２の基材部２１−２は、表面に強接着層３１を備え、剥離基材４０と再剥離不可能に接着された紙片である。
第２の折れ線部２４は、第１の基材部２１−１から第２の基材部２１−２を分離するミシン目である。
【００３７】
次に、隠蔽機能付き申込書１０−４の使用方法について説明する。なお、実施例３と重複する説明は適宜省略する。
申込者は、図４（Ａ）に示すように、個人情報記入欄２５及び確認情報記入欄２６に必要事項を記入し、剥離基材４０をシート状基材２０から剥がし（矢印Ａ）、第２の折れ線部２４により第２の基材部２１−２を第１の基材部２１−１から切り離して、図４（Ｂ）に示すように、第２の基材部２１−２と一体化した剥離基材４０をシート状基材２０から分離させる（矢印Ｂ）。続いて、図４（Ｃ）に示すように、シート状基材２０を第１の折れ線部２３により折り曲げ（矢印Ｃ）、第１の基材部２１−１を申込部２２に貼り合せて個人情報記入欄２５を隠蔽し、配送荷物の取扱店に提出する。
仮に、第１の基材部２１−１を申込部２２に貼り合せた後に、確認情報記入欄２６の記入内容の変更などが生じたとしても、確認情報記入欄２６は隠蔽機能付き申込書１０−４に表出しているので、容易に訂正することができる。
【００３８】
以上より、実施例４の隠蔽機能付き申込書１０−４には、前述した実施例３の効果に加え、以下のような効果がある。
第２の折れ線部２４はミシン目であり、第２の基材部２１−２は、接着層３０と同じ面に剥離基材４０と再剥離不可能に接着する強接着層３１を備えているので、個人情報記入欄２５のみを隠蔽することができ、表出した確認情報記入欄２６の記入内容の確認及び訂正を容易に行なうことができる。
【００３９】
（変形例）
以上説明した実施例に限定されることなく、種々の変形や変更が可能であって、それらも本発明の均等の範囲内である。
（１）各実施例では、隠蔽部２１及び申込部２２は長辺部を連接させてシート状基材を形成していたが、短辺部を連接させて形成してもよく、また、シート状基材２０を横長又は縦長に見開くように各記入欄を印字してもよい。例えば、図５に示すように、個人情報記入欄２５及び確認情報記入欄２６を申込部２２の上部及び下部に配置して、隠蔽部２１及び申込部２２の短辺部を連接させることも可能である。
（２）各実施例では、配送伝票の印字サービスの申込書について記載したが、それ以外の申込書に用いてもよい。例えば、クレジットカードなどの申し込みに使用することも可能である。
【００４０】
（３）各実施例では、剥離基材４０は、隠蔽部２１とほぼ同等の寸法であったが、それ以外の寸法により形成されてもよい。例えば、剥離基材４０がシート状基材２０と同等の寸法で形成することも可能であり、剥離基材４０に記載する使用方法や広告などの情報量を増やすことができる。
（４）隠蔽部２１の表裏面及び申込部２２の裏面に、伝達情報記入欄や広告などを印字することも可能である。例えば、隠蔽部２１の裏面に、配達業者の使用する情報記入欄を設けてもよい。
【図面の簡単な説明】
【００４１】
【図１】本発明による実施例１の隠蔽機能付き申込書の詳細を示す平面図及び側面図である。
【図２】本発明による実施例２の隠蔽機能付き申込書の詳細を示す平面図及び側面図である。
【図３】本発明による実施例３の隠蔽機能付き申込書の詳細を示す平面図及び側面図である。
【図４】本発明による実施例４の隠蔽機能付き申込書の詳細を示す平面図及び側面図である。
【図５】本発明による各実施例の変形例の隠蔽機能付き申込書の詳細を示す平面図である。
【符号の説明】
【００４２】
１０  隠蔽機能付き申込書
２０  シート状基材
２１  隠蔽部
２２  申込部
２３  第１の折れ線部
２５  個人情報記入欄
２６  確認情報記入欄
３０  接着層
４０  剥離基材
【図１】
2007276143.tif 000003
【図２】
2007276143.tif 000004
【図３】
2007276143.tif 000005
【図４】
2007276143.tif 000006
【図５】
2007276143.tif 000007